(57)【要約】【課題】ノズルが閉位置にロックされかつトリガーレバーが同時に駆動に対してロックされるような、悪戯防止型スプレーを提供する。【解決手段】本体と、手動操作により本体の中心軸について開閉位置間を回転すべく本体の前端に取り付けられた排出ノズル手段と、本体に取り付けられて駆動時にポンプ機構を操作するトリガーレバーと、ノズル手段に固定されて回転時に運動するロックバーと、ロックバー上に設けられてロックバーとノズル手段とをレバーに着脱可能に結合してノズル手段の逆方向回転を防止してスプレーを悪戯防止型にする結合手段とをもってスプレーを構成し、ロックバーを閉位置にあるレバーの前面に張り出させた。【選択図】図１
2004148298.tif 000002
【特許請求の範囲】
【請求項１】
本体と、手動操作により本体の中心軸について開閉位置間を回転すべく本体の前端に取り付けられた排出ノズル手段と、本体に取り付けられて駆動時にポンプ機構を操作するトリガーレバーと、ノズル手段に固定されて回転時に運動するロックバーと、ロックバー上に設けられてロックバーとノズル手段とをレバーに着脱可能に結合してノズル手段の逆方向回転を防止してスプレーを悪戯防止型にする結合手段とを有してなり、ロックバーが閉位置にあるレバーの前面に張り出していることを特徴とするトリガー駆動液体スプレー。
【請求項２】
ロックバーが外面に張り出したリブを有しており、これによりトリガーレバーとノズル手段との知覚認識を与えていることを特徴とする請求項１に記載のスプレー。
【請求項３】
結合手段が手動屈曲可能タブを有していることを特徴とする請求項１に記載のスプレー。
【請求項４】
タブがレバーの下側自由端に蝶番されていて、屈曲によりレバーの下側に係合することを特徴とする請求項３に記載のスプレー。
【請求項５】
レバーが後方に指向する１対の離間する側壁を有しており、結合手段が側壁間に延在して中心軸についてのトリガーレバーの運動に抵抗するタブを有していることを特徴とする請求項１に記載のスプレー。
【請求項６】
タブがレバーに取外し可能にされていることを特徴とする請求項５に記載のスプレー。
【請求項７】
ノズル手段が連結された発泡キャップとノズルキャップとを有しており、ロックバーが発泡キャップに連結されていることを特徴とする請求項１に記載のスプレー。
【請求項８】
ノズル手段がノズルキャップを有しており、ロックバーがノズルキャップに連結されていることを特徴とする請求項１に記載のスプレー。
【発明の詳細な説明】
【技術分野】
【０００１】
この発明はトリガー駆動液体スプレーに関するものであり、より詳しくはスプレーを悪戯防止型にするノズル／トリガーロックを有したスプレーに関するものである。
【背景技術】
【０００２】
従来一般のトリガー駆動スプレーは中心軸について開閉位置間で回転可能なスプレーノズルを有している。２個の開位置とその間に介在する２個の閉位置とがあり、ある閉位置からノズルはいずれかの方向に９０度回転して開位置に至る。
【０００３】
閉位置にあるときでも、トリガーレバーは駆動することができるが、スプレーはこの位置では内容物を排出しないように構成されている。にも拘わらずノズル中の液体の残量は閉位置でもトリガーレバーが駆動されると少量ながら意図しないのに排出されることがある。
【０００４】
さらに液体が毒性の場合には安全のために、トリガーレバーが駆動に対してロックされ、ノズルがその閉位置にロックされる必要がある。
【０００５】
従来技術では、ノズルキャップに連結されてトリガーレバーに張り出すバーを設けて、バーとノズルとが開位置に回転されるまで、トリガーの駆動を防止するようにしている。しかしバー上のタブがレバーの一側面に係合すると、ノズルとロックバーとは一方向にのみ回転可能である。加えてバーはノズルキャップが回転ロックされるようにはトリガーレバーには結合されていない。
【０００６】
ノズルをいずれかの閉位置にロックし、特にスプレーを悪戯防止型にするようにトリガーレバーを駆動に対してロックできたら便利である。
【特許文献１】アメリカ特許第５６４７５３９号
【発明の開示】
【発明が解決しようとする課題】
【０００７】
この発明の目的は、ノズルが閉位置にロックされかつトリガーレバーが同時に駆動に対してロックされるような、悪戯防止型スプレーを提供することにある。
【課題を解決するための手段】
【０００８】
このためこの発明においては、本体と、手動操作により本体の中心軸について開閉位置間を回転すべく本体の前端に取り付けられた排出ノズル手段と、本体に取り付けられて駆動時にポンプ機構を操作するトリガーレバーと、ノズル手段に固定されて回転時に運動するロックバーと、ロックバー上に設けられてロックバーとノズル手段とをレバーに着脱可能に結合してノズル手段の逆方向回転を防止してスプレーを悪戯防止型にする結合手段とをもってスプレーを構成し、ロックバーを閉位置にあるレバーの前面に張り出させたことを要旨とするものである。
【０００９】
より詳しくは、この発明のスプレーにあっては、ロックバーはノズルキャップまたはノズルキャップ上の発泡キャップに連結されていて、それらとともに両方向に回転する。ロックバーはトリガーレバーの前面から張り出しており、レバーに着脱可能に結合されて、トリガーを駆動に対してロックするとともにノズルキャップまたは発泡キャップを閉位置からの回転についてロックする。
【発明の効果】
【００１０】
内容物の排出には、まず第１のステップとして手動によりロックバーを取り外し、ついで第２のステップとしてバーを回転させるとトリガーレバーが可動となる。この２通りのステップに加えてトリガーレバーを駆動すると排出が可能となる。つまり年端のいかない子供はそのような３通りのステップを連続して行うことができないので、この発明のスプレーは悪戯防止型となる。
【実施例１】
【００１１】
図１に示すこの発明のスプレー１０はポンプピストン（図示せず）を内蔵した本体１１と本体内往復動するシリンダー１２と、本体に可動状に取り付けられたトリガーレバー１３とを有している。トリガーレバー１３は上部がピストンと係合しており、公知の方法でトリガーを手動により絞ると往復運動する。本体１１には容器蓋２０（内部にネジ付きであってもよい）が取り付けられて、これを介してスプレーされる液体の容器の首部にスプレー１０が取り付けられる。
【００１２】
ノズルキャップ１４は本体をカバーする保護板１５の前端において本体に取り付けられる。このキャップはその中心軸について回転するが軸に沿って動くことはない。またキャップは本体中の排出路（図示せず）と同軸状の排出オリフィスを有している。
【００１３】
ノズルキャップには回転メカニズムが内蔵されており（図示せず）ポンプが準備された後にトリガーが絞られると、液体はオリフィス１６（図３）を通って霧状スプレーの形で公知のように排出される。
【００１４】
また他の実施例では、発泡キャップ１７がノズルキャップ１４の前端にスナップ嵌合されており、ノズルがいずれかの開位置に回転されると、液体は泡状で排出される。発泡キャップはアメリカ特許第５６４７５３９号に開示されたような発泡ノズルであってもよい。
【００１５】
この発明によれば、湾曲板状のロックバー１８はトリガーレバーの前面に沿った形で張り出している。ロックバーは発泡キャップ１７に固定された上側取付け部１９を有している。ロックバーには中央軸リブ２１を設けてもよく、これが前方に延在して図１，２および３に示すようにロックバーのロック位置にある。該リブはトリガーレバーが駆動に対してロックされておりかつノズルが閉位置にロックされているという知覚的な警告を与えるものである。
【００１６】
この代りに、発泡キャップ１７を利用するとしないとに拘わらず、ロックバーは図３に示すようにノズルキャップ１４に直接固定連結してもよい。
【００１７】
トリガーレバーは対向する側壁２２，２３（図５）を有してもよく、これらが実質的にＣ字形の横断面を与えている。ロックバーはトリガーレバーに結合されて、閉位置からのノズルキャップおよび／または発泡キャップの独立回転を防止する。結合手段としては位置２５において屈曲可能なタブ２４がロックバー１８の自由端に蝶番されていて、該タブは図３から図２に位置に屈曲しトリガーレバーの前壁の下側に位置する。
【００１８】
タブ２４はトリガーレバーの側壁２２，２３間の間隔より若干小さな幅を有しており、レバーの前壁の下側に屈曲されたときに側壁２２，２３間にきっちりと嵌合する。これによりタブはロックバーをトリガーレバーに結合する手段として機能して、図１，２の閉位置からいずれの方向にもロックバーが回転するのを防止して、トリガーレバーを駆動に対して不動位置としてノズルキャップをその閉位置にロックするのである。
【００１９】
ロックバーを成形するのに用いられたプラスチック材料および側壁２２，２３間で屈曲位置を保持するタブの弾性記憶に応じて、屈曲タブの位置を保持する積極的な手段を用いるとよい。この目的から屈曲タブには側方外側への延長部２６（図５）を設けて側壁２２，２３の対向する側のアンダーカット２７ときっちり嵌合するようにしてもよい。かくしてタブは図２の屈曲位置に積極的に保持される。
【００２０】
スプレーノズル１４は一般には１対の対向する閉位置または回転オフ位置と１対の対向する回転開位置とを有しており、後者の一方はスプレー位置であり他方はスプレーまたは流れ位置である。図１，２の実施例では対向する開位置はともにスプレーであり、図３の実施例ではスプレーと流れ位置である。
【００２１】
図１に示すように、ロックバーはスプレーノズルの回転オフ位置における発泡キャップに連結されており、ロックバーがトリガーレバーの前面から張り出してそのタブが図２の位置に屈曲されると、トリガーレバーは駆動に対してロックされ、ノズルキャップはその閉位置からの回転に対してロックされる。かくしてノズルキャップが閉位置にあってもそれを駆動しようとする試みは積極的に防止され、閉位置にあってもノズルキャップおよび／または発泡キャップ中の残留液体の排出が回避される。
【００２２】
使用者は即座にトリガーレバーおよびノズルキャップのロック状態についてリブ２１により警告を受け、トリガーを駆動しようとするときに使用者はリブを知覚する。同様に年端のいかない子供はリブ２１を握って駆動しようとしても即座に知覚してその気をなくするのである。
【００２３】
トリガーの動の準備のために必要なロックバーをトリガーレバーから切離しかつロックバーを回転させノズルをいずれかの方向でオン位置にするというステップの多さの故に、スプレーが悪戯防止型となるのである。
【００２４】
かくしてタブがトリガーレバーの前壁の下側にある図２の完全にロックされた位置から、タブ２４は手動により図３の位置に戻されると（図１中点線で示すように）、スプレーノズルは図１位置からいずれかの方向に向けての図４に示すスプレー位置に回転可能となる。
【００２５】
かくしてトリガーレバーは使用者が完全にアクセス可能となり、駆動されて発泡キャップが設けられているときには泡を排出し、設けられていないときにはスプレーが行われるのである。トリガーレバーとノズルキャップのロックを解除するには、ロックバーを時計回りに回転させて図１の位置に戻すだけでよく、タブ２４は図３の位置から図２の位置に戻される。
【産業上の利用可能性】
【００２６】
以上説明したように、簡単で経済的でかつ有効性の高いこの発明のノズルロックトリガーは、トリガーレバーを駆動に対してロックするのみならず、ノズルキャップをいずれの方向への回転に対してもロックできるのである。屈曲可能なタブは操作が容易であり、しかもロックバーとトリガーレバーとの間の簡単な結合手段として機能する。もっとも他の形態の結合手段を採用することはこの発明の範疇に入るものではあるが。例えば屈曲性のタブをロックバー１８の両端縁に設けてトリガーレバーの側壁中の切込みに係合させるようにしてもよい。他の形態の手動結合手段を採用することも可能である。
【図面の簡単な説明】
【００２７】
【図１】この発明のトリガースプレーの斜視図である。
【図２】同じく拡大側面図である。
【図３】変化実施例の拡大側面図である。
【図４】ロックバーがロック解除位置に有りノズルが開位置に動いた状態のスプレーの斜視図である。
【図５】図２中で線５−５に沿って取ったトリガーレバーの平面図である。
【符号の説明】
【００２８】
１０：  ポンプスプレー
１１：  本体
１３：  トリガーレバー
１４：  ノズルキャップ
１６：  オリフィス
１７：  発泡キャップ
１８：  ロックバー
２１：  リブ
２２，２３：  側壁
２４：  タブ
【図１】
2004148298.tif 000003
【図２】
2004148298.tif 000004
【図３】
2004148298.tif 000005
【図４】
2004148298.tif 000006
【図５】
2004148298.tif 000007